(57)【特許請求の範囲】
【請求項１】
筐体と、
前記筐体内に空気流路、ファン、ヒータ、イオン発生器を有し、
前記空気流路は、ヒータが配置された上空気流路と、下空気流路とを有し、
前記イオン発生器は、前記ファンの上流かつ前記空気流路の下部に設置されており、
前記下空気流路と前記イオン発生器とは、前記ファンを挟んで対向して設置され、
前記イオン発生器で発生したイオンは主に前記下空気流路から吐き出されることを特徴とするヘアドライヤ。
【請求項２】
前記イオン発生器がプラスイオンとマイナスイオンとを発生させるイオン発生部を備えることを特徴とする請求項１に記載のヘアドライヤ。
【請求項３】
前記イオン発生器が水分子と結合したイオンを発生させるものであることを特徴とする請求項１及び２に記載のヘアドライヤ。
【発明の詳細な説明】
【技術分野】
【０００１】
本発明は、温風を送風して髪の乾燥やセットを行うと共に、イオンを含んだ風を送風して髪のトリートメントを行うことができるヘアドライヤに関するものである。
【背景技術】
【０００２】
従来より、温風を吐出して髪の乾燥やセットを行うだけでなく、イオンを含んだ風を送風することにより髪のトリートメントも行うことができるヘアドライヤが用いられている。
【０００３】
例えば、特許文献１にはハウジング内に送風用のファン、イオンを発生するイオン発生器、ヒータ等を備えたヘアドライヤが示されている。ヘアドライヤは、ファンから送風された空気をヒータにより温めて、温まった空気をハウジングの空気吐出口より外部へ送り出し髪を乾かす。その際、ブラッシングなどにより髪が帯電することがある。そこで、イオン発生器から発生したイオンを空気吐出口とは別の吐出口から髪に与えるようにして静電気の発生を防止している。イオンの吐出口はヘアドライヤの上側に設けられている。
【先行技術文献】
【特許文献】
【０００４】
【特許文献１】特開２００２−１９１４２６号公報
【発明の概要】
【発明が解決しようとする課題】
【０００５】
従来のヘアドライヤは、空気吐出口とイオンの吐出口とが分かれており、イオンの吐出口が空気吐出口の上側にあるため、空気吐出口から出る風の流れで頭よりも上側へ送風されてしまうため、髪や頭皮に当たるイオンが少ないという問題があった。
【０００６】
本発明は、上記の点に鑑みてなされたものであり、髪や頭皮に効果的にイオンが届くようにすることを目的とする。
【課題を解決するための手段】
【０００７】
本発明に係るヘアドライヤは、筐体と、筐体内に空気流路、ファン、ヒータ、イオン発生器を有し、空気流路は、ヒータが配置された上空気流路と、下空気流路とを有し、イオン発生器で発生したイオンは主に下空気流路から吐き出されることを特徴とする。
【０００８】
また、ファンよりも上流にイオン発生器が配置されていてもよい。
【０００９】
また、下空気流路内にイオン発生器が配置されていてもよい。
【００１０】
また、イオン発生器がプラスイオンとマイナスイオンとを発生させるイオン発生部を備えてもよい。
【００１１】
また、イオン発生器が水分子と結合したイオンを発生させてもよい。
【発明の効果】
【００１２】
本発明に係るヘアドライヤによれば、髪や頭皮に効果的にイオンが届くようになる。
【図面の簡単な説明】
【００１３】
【図１】本発明の実施例１に係るヘアドライヤの側面透視図である。
【図２】イオンの散布イメージ図である。
【図３】イオン発生器の外観例を示す斜視図である。
【図４】イオン発生器の配置を示す図である。
【図５】本発明の実施例２に係るヘアドライヤの正面図である。
【図６】ファンの外観例を示す斜視図である。
【図７】本発明の実施例４に係るヘアドライヤの側面透視図である。
【図８】本発明の実施例５に係るヘアドライヤの斜視図である。
【発明を実施するための形態】
【００１４】
以下、本発明の実施例について図面を用いて説明する。
【実施例１】
【００１５】
（ドライヤの構成）
図１は本発明の実施例１に係るヘアドライヤの内部構成を示す側面透視図である。
【００１６】
ヘアドライヤ１は、筐体２と、筐体２の空気の吸い込み側にある吸気フィルタ３、筐体２に取り付けられたハンドル４と、空気の吐出口側にあるノズル１３から外装が構成されている。なお、筐体２、吸気フィルタ３、ハンドル４及びノズル１３は一体形成されていてもよい。
【００１７】
筐体２の内部には、イオンを発生させるイオン発生器５、空気を送風するファン６、ファン６を駆動するための図示しないモーターや配線、空気流路７、ヒータ１１等が設けられている。
【００１８】
ここで、筐体２内でファン６よりも吸気フィルタ３側（図１の右側）を上流側、ファン６よりも吐出口１２側（図１の左側）を本明細書では下流側と呼ぶことがある。なお、本明細書ではある部分を基準として、その位置よりも風の流れが上流に位置するときに上流に位置するなどと呼ぶことがある。例えば、ファン６は空気流路７の上流に位置している、と表示する。
【００１９】
筐体２はプラスチック製である。筐体２は、内部が空洞になっており、空気が流れるようになっている。筐体２は、筐体２の一方端は空気の流入口で吸気フィルタ３が取り付けられ、もう一方端は空気が吐き出される吐出口１２となっており、その間に空気流路７がある。空気流路７は、筐体２にマイカフィルムが貼り付けられ耐熱性が高められている。吐出口１２には金属製のフィルタがつけられている。
【００２０】
吸気フィルタ３は金属又はプラスチック製であり、網目状や格子状に孔が開いている。吸気フィルタ３は、ほこりなど大きな異物が入らないように、また動作中に誤って指などがファン６に触れないように保護する役割を果たしている。ここでは、吸気フィルタ３は筐体２から着脱できるように筐体２に取り付けられている。
【００２１】
ハンドル４は、プラスチック製であり、複数のスイッチ１４が設けられている。ハンドル４にあるスイッチ１４を操作しヘアドライヤ１を動作状態にすると、イオン発生器５、ファン６、ヒータ１１が動作する。スイッチ１４の操作により、例えば髪を乾かすのに適した強温風モード、スタイリングに適した弱温風モード、風のみを送風する送風モードなど用途に応じたモードに切り替えることができる。送風モード時にはヒータ１１は動作しない。
【００２２】
イオン発生器５は筐体２の上流側である吸気フィルタ３とファン６の間に配置されている。また、イオン発生器５はファン６の中心線よりも下方に配置されている。イオン発生器５は、イオンを発生させている。発生されるイオンは、イオン単体の場合やイオンと水分子が結合している状態のイオンを発生させる場合もある。イオンやイオンに結合している水分子により髪の除電や髪をしっとりとさせる効果を発揮する。
【００２３】
ファン６は、ポリプロピレン製である。ファン６は、空気を吸気フィルタ３を介して筐体２内に取り込み、筐体２の吐出口１２から外へ送りだす。ファン６から送風された空気は、空気流路７を通る。空気流路７は、吐出口１２まで延びるマイカ製の仕切板１０により上空気流路８と下空気流路９に分かれている。上空気流路８を通る空気は、ヒータ１１により温められ温風として外へ送りだされる。下空気流路９にはヒータが設けられておらず、下空気流路９を通る空気は、ファン６から送風された空気がそのまま送りだされる。
【００２４】
このように、温風と通常の空気（冷風）が入り混じって送風されることにより、温風の熱により髪の水素の結合が切れくせ毛を伸ばすことができ、その直後に冷風を当てると再び髪の水素の結合が起こるためくせ毛が伸びた状態で固定させることができ、髪のスタイリング性を向上させることができる。
【００２５】
ファン６としてプロペラファンなど旋回風を送風するものを使った場合、ファン６よりもイオン発生器５を下流に配置するとイオンが発生した直後に旋回風が送られてくるため、プラスイオンとマイナスイオンが中和しヘアドライヤ１の外に出るイオンの量が少なくなる問題があった。しかし、本実施例のようにファン６の上流に配置することで比較的平行風がイオン発生器５に当たるようになりイオン発生直後に中和することがなくなる。一旦、プラスイオンとマイナスイオンで分離された状態で送風されれば、その後旋回風となっても分離した状態が続き中和されにくくなるため、ヘアドライヤ１の外に出るイオンの量を増やすことができる。
【００２６】
イオン発生器５は下空気流路９とファン６を介してほぼ平行に設けられている。これによりイオン発生器５で発生したイオンの多くが下空気流路９を通り送風されることになる。これによりヘアドライヤ１の外へより多くのイオンを送風することができるため効果的である。
【００２７】
図２は、イオンの散布イメージ図である。図２（ａ）は本発明のヘアドライヤ１によるイオンの散布状態のイメージ図で、図２（ｂ）は比較対象となる従来のヘアドライヤ１によるイオンの散布状態のイメージ図である。
【００２８】
ヘアドライヤ１から送風される空気は吐出口１２から拡散するように出ていく。
【００２９】
本発明のヘアドライヤ１は、下空気流路９から主にイオンが送風される。そのため、図２（ａ）に示すように、送風された空気は、頭に当たり髪の毛先に沿って流れる。その結果、毛先まで除電ができる。また、イオンと水分子が結合している場合は毛先まで水分が行きわたりしっとりとした髪を得ることができる。
【００３０】
従来のヘアドライヤ１は、イオン吐出口が空気吐出口よりも上方にある。そのため、図２（ｂ）に示すように、空気吐出口から拡散しながら送風される風の流れにより、イオンが頭上へ舞いあがってしまうため髪や頭皮に到達しない。その結果、思うような除電や水分の補給ができない。
【００３１】
また、図２（ｂ）に示す従来のヘアドライヤ１は、イオン吐出口から吐き出される風が弱く、イオンの流れは実使用状況では髪に効率的にあたっていない。しかし、本発明によれば風量が多い状況でイオンを送風しているため実使用下において広範囲にかつ効率的にイオンが当たるため従来技術の問題を解決できる。また、使用者が実際にイオンを含んだ風が当たっていることを自身で確認することもできるため、上記のような問題が起こりにくい。
【００３２】
さらに、イオン発生器５をヘアドライヤ１内部の下方に配置すると、回路基板をハンドル周辺にまとめて配置することが可能となり配線の引き回しが行いやすくなる、吸気フィルタ３からファン６までの間を回路基板で遮ることがなくなり吸気量を減らすことがなくなる。また、イオン発生器５はヘアドライヤ１の中では重い部品なので、配置位置によって重心バランスが大きく変ってくるが、下方に配置すると重心のバランスがよくなり重く感じにくい。特に、ハンドル近辺に配置すると重心のバランスがよくなる。ヘアドライヤを長時間使うユーザーである女性にとって重心バランスは重要な問題であり本発明のメリットは大きい。
【００３３】
また、本実施例のようにイオン発生器５をヒータ１１から遠い位置に配置することにより、イオン発生器５がヒータ１１の熱により誤動作、故障することを防止することができる。
【００３４】
（イオン発生器）
次に、イオン発生器５について詳細に説明する。
【００３５】
図３は、イオン発生器５の斜視図である。イオン発生器５は、針電極１５と誘導電極１６からなるイオン発生部を２つ有している。各イオン発生部は左右に並ぶように配置されている。針電極１５は先端が尖った針形状であり、その周囲を囲むように円形の誘電電極１６が配置され、両電極間の間隔は８ｍｍになっている。
【００３６】
例えば、針電極１５に実効電圧＋２ｋＶ以上の電圧と０Ｖが切り替わる６０Ｈｚの交流を印加し、誘電電極１６に０Ｖの直流を印加することによりイオンが発生する。針電極１５に実効電圧＋２ｋＶ以上が印加されているときに誘電電極１６との間の電位差によりコロナ放電が起こり、針電極１５の先端部近傍で空気中の水分子が電離して水素イオン（Ｈ＋）が生成する。この水素イオンが空気中の水分子と群状態で結合（クラスタリング）し、Ｈ＋（Ｈ２Ｏ）ｍ（ｍは任意の自然数）から成る正イオンが発生する。
【００３７】
また、針電極１５に実効電圧−２ｋＶ以下の電圧と０Ｖが切り替わる６０Ｈｚの交流を印加し、誘電電極１６に０Ｖの直流を印加することによりマイナスイオンが発生する。このマイナスイオンは、空気中の酸素分子又は水分子が電離して酸素イオンＯ２−が生成する。この酸素イオンが空気中の水分子と結合（クラスタリング）して、Ｏ２−（Ｈ２Ｏ）ｎ（ｎは任意の自然数）から成る負イオンが発生する。
【００３８】
ここでは、イオン発生器５はイオン発生部を２つ有しており、各イオン発生部はプラスイオン発生部とマイナスイオン発生部となっている。各イオン発生部によって作り出されたイオンは、ファン６により作りだされる空気の気流に乗って下流へと流れる。
【００３９】
図４はイオン発生器の配置図である。
【００４０】
イオン発生器を図４（ａ）から（ｃ）までの３種類に配置し、ヘアドライヤ１の吐出口１２から送風されたイオン量を測定した結果が表１である。ここでは、通常の送風量のときと（ＮＯＲＭＡＬ）、送風量が多い（送風が速い）状態（ＴＵＲＢＯ）の２つの状態で実験を行った。
【００４１】
図４(ａ)では、イオン発生器５を風の向きに対して、イオン発生部である電極を直交する方向に配置した。この配置では、表１に示すように９５万個／ｃｃから１２０万個／ｃｃのイオンが測定された。実験によれば、３種類のイオン発生器５の配置の中で測定されたイオン量が一番多い、つまりイオン濃度が一番高かった。
【００４２】
図４（ｂ）では、風の向きに対し風下の方に電極を配置した。この場合でも、９０万個／ｃｃから１１０万個／ｃｃのイオンが出ており実用上問題のないレベルのイオン量が測定された。
【００４３】
図４（ｃ）では、風の向きに対し風上の方に電極を配置した。この場合でも、９５万個／ｃｃから１０５万個／ｃｃのイオンが出ており実用上問題のないレベルのイオン量が測定された。
【００４４】
【表１】
0005898465.tif 000002
このように、イオン発生器５について３種類のレイアウトで実験を行った結果、いずれでも十分な量のイオンを得ることができることが判明した。ヘアドライヤでは送風される風の量が少ないと髪を乾かす時間が長くなるため、吸気面積を広く取ることが望ましい。そこで、吸気口３を塞がないようなイオン発生器５の配置である図４（ｂ）または図４（ｃ）のような配置がよい。特に、イオン発生器５の配置は電極にほこりが直接つきにくい図４（ｂ）のような配置が好ましい。そこで、本実施形態では図４（ｂ）のレイアウトを用いた。
【００４５】
送風されるプラスイオンとマイナスイオンはほぼ同数、若しくはマイナスイオンの方が若干多いことが望ましい。プラスイオンとマイナスイオンの数のバランスが取れていた方がると髪ＯＨラジカルが発生する確率が高くなる。バランスしていない場合は、髪はプラスに帯電しているためマイナスイオンが多い方が髪のきしみや傷みを防止することができるため好ましい。
【００４６】
上述したように、従来のイオン発生器が搭載されているヘアドライヤでは、特許文献１のようにイオン発生器は専用通路に設けられ、専用通路は空気の送付量が制限されるような細い通路になっており、風量が弱く髪に届きにくいという欠点があった。これは、特許文献１で用いているイオン発生器はペルチェ素子などを用いて水の膜を作り、その水をミスト状にして利用するため強い風を当てると水の膜が乾燥してできなくなるからである。しかし、本発明のイオン発生器５を用いると分子レベルでイオンと結合しているため上記のような問題は発生しない。
【００４７】
その上、表１を見れば明らかなように本発明のイオン発生器５によれば風量が多くなるほど発生したイオンを効果的にヘアドライヤ１の外に出すことができる。そのため、サロンのような強い風を使って髪を乾かしたときにより効果が発揮されることになり、しっとりとしたきしみや傷みのないサロンのブローをしたような効果を家庭でも得られるようになる。
【００４８】
本発明のイオン発生器５は、プラスイオンとマイナスイオンを発生する。そこで、プラスイオンとマイナスイオンとを利用した場合と、マイナスイオンのみを利用した場合について、髪とブラシの帯電量を調べた結果を表２に示す。なお、温風を使っても送風のみを使っても傾向に大差はなかった。
【００４９】
【表２】
0005898465.tif 000003
本実験は、以下のように帯電量を測定した。
【００５０】
（１）ブラッシング直後（表２上段）
長さ６０ｃｍの人毛束のサンプル（髪と表に記載、以下髪と呼ぶ）をポリプロピレン製のブラシで１０回ブラッシングした直後の髪の帯電量とブラシの帯電量をまず測定した。測定は６０ｃｍの髪の上部を縛ってつるし、上から１０ｃｍの部分の帯電量（表に上部と記載）、中央部分の帯電量（表に中央と記載）、下から１０ｃｍの部分の帯電量（表に下部と記載）を測定し、その平均を求めた（表に平均と記載）。また、ブラシの帯電量もあわせて測定した。
【００５１】
（２）マイナスイオン（表２中段）
上記ブラッシング直後に帯電量を調べた後、髪とブラシに図１に示すようなヘアドライヤ１にマイナスイオンを発生するイオン発生器を搭載したドライヤ１で３０秒間送風した後、ブラッシング直後と同じように帯電量を測定した。なお、吐出口１２（ノズル１３）からのイオン量を調べるとマイナスイオンが２１０万個以上／ｃｃ測定された。
【００５２】
（３）プラスイオン、マイナスイオン（表２下段）
上記ブラッシング直後に帯電量を調べた後、髪とブラシに図１に示すようなヘアドライヤ１に上述したプラスイオン、マイナスイオンを発生するイオン発生器５を搭載したドライヤ１で３０秒間送風した後、ブラッシング直後と同じように帯電量を測定した。なお、吐出口１２（ノズル１３）からのイオン量を調べるとプラスイオン、マイナスイオン共に１００万個以上／ｃｃ、つまり総量２００万個以上／ｃｃのイオンが測定された。
【００５３】
髪はプラスに帯電しやすく、ブラシの素材であるポリプロピレンはマイナスに帯電しやすい性質を持っており、表２上段に示すようにブラッシング直後は、髪は大きくプラスに帯電し、ブラシはマイナスに帯電している。このように帯電した状態でブラッシングを続けると髪にきしみや傷みが生じる。
【００５４】
表２中段に示すように、マイナスイオン単独の場合は髪の帯電量が減少している。しかし、髪の帯電は３０秒の送風でもプラス帯電から弱マイナス帯電に変化している。弱マイナスイオンで安定するとドライヤから送風されるマイナスイオンと反発するようになる。そのため、マイナスイオンを含む水分子が髪へ供給されなくなる。つまり、マイナスイオン単独のイオン発生器を用いたドライヤでは髪の帯電防止には効果があっても水分を与えることによるしっとり感を得ることは難しいことが分かる。また、マイナスに帯電しているブラシには除電の効果はない。
【００５５】
それに対し、本発明のようにプラスイオンとマイナスイオンとを髪に与えると、髪はほぼ帯電していない状態になり、きしみや傷みの発生が防止できる。また、髪がほぼ帯電していない状態であるためプラスイオン、マイナスイオンの両イオンが髪に供給され続けるため水分子と結合したイオンにより多くの水分が髪に供給されることになる。また、仮に髪がプラス、マイナスに若干帯電したとしてもプラスイオンにより水分子が供給されるため、問題とならない。
【００５６】
このように、イオン総量が同じ場合であってもプラスイオンとマイナスイオンを供給した方が有利な効果が得られることが判明した。これにより、髪のキューティクルが保湿されて引き締まり、うねりを抑え、しなやかでつやのある髪を得ることができる。また、ブラシの除電もできるため、ブラッシング時の静電気の発生を抑えることができ髪のダメージを軽減することができる。
【００５７】
本発明のイオン発生器５を用いるとプラスイオンとマイナスイオンが髪や頭皮近辺で反応、または髪や頭皮に付着し両者が反応しＯＨラジカルを作る。ＯＨラジカルおよび両イオンの作用により、シャンプー時に髪に残ったアニオン系界面活性剤を中和分解して髪のごわつきを解消させ、リンス時に髪に付着したカチオン系界面活性剤を中和分解してキューティクルの開きを抑えてしなやかな髪に仕上げることができる。ＯＨラジカルは、育毛のさまたげになっている頭皮に残っている汚れにも作用する。頭皮に付着したシャンプーやリンスの残りかすを中和分解し頭皮の汚れを軽減する。これにより育毛に最適な頭皮な作る手助けをすることができる。また、ＯＨラジカルは除菌消臭効果もある。ＯＨラジカルにより頭皮の汚れの軽減、および頭皮に存在する菌の脂肪酸分解による不快臭の発生を軽減することができる。
【００５８】
なお、ＯＨラジカルは不安定であるためナノ秒単位でしか存在することができない。そのためＯＨラジカルをイオン発生器５で作りだしても頭皮に届く前に消滅してしまう。しかし、本実施例のようにプラスイオンとマイナスイオンをイオン発生部で作りだし、髪や頭皮近辺で両者を反応させることにより効果的にＯＨラジカルを作り出すことができる。ＯＨラジカルは水素イオンと酸素イオンを主成分とするイオンを発生させることにより効果的に作り出すことができる。また、イオンも不安定な状態であるが水分子に囲まれて保護されている。
【００５９】
イオン発生器５により発生したイオンは同時にファン６や内部のマイカの帯電を軽減することもできる。これにより部品にほこりが付着するのを軽減することができる。本発明ではプラスイオンとマイナスイオンを用いているため、例えばマイカはプラスに帯電しやすい、ポリプロピレンはマイナスに帯電しやすい等部品により異なる帯電に対応することができる。
【００６０】
マイナスイオンあるいはプラスイオンだけ用いた場合は吐出口１２に設けてあるフィルタが帯電してイオンが出にくくなることがあるが、プラスとマイナスのイオンによりそのような現象が防止できる。
【００６１】
イオン発生器５のプラスイオンとマイナスイオンのイオン発生部をファンの直径の１／２程度離れて配置することが望ましい。特に、プラスイオンとマイナスイオンのイオン発生部を風の向きに対して直交する方向に約２０ｍｍ以上離すとよい。これにより、イオン発生直後にプラスイオンとマイナスイオンが中和を減少することができる。
【００６２】
空気中の水分子を利用するイオン発生器を用いるので、特許文献１のように狭い空気流路に置くよりも、大量の空気を吸気する吸気側（上流側）に設けることにより、効果的に空気中の水分子を利用することができ、イオンや水分子に結合したイオンを多く発生させることができる。そのため、ファン６などの静電気の発生防止、髪の静電気の発生防止の効果が上がる。
【実施例２】
【００６３】
図５は本発明の実施例２に係るヘアドライヤの正面図であり、図６はファンの一例を示す斜視図である。
【００６４】
本実施例２では、空気流路７を仕切板１０により上空気流路８と下空気流路９とに分けただけでなく、下空気流路９を左下空気流路９ａと右下空気流路９ｂとに分離した。その他は実施例１と同じである。このように、仕切板１０の形状を変えるだけでイオン発生器５で発生したプラスイオンとマイナスイオンが空気流路７で混ざることが少なくなりヘアドライヤ１の外へ出るイオンの量を多くすることができる。なお、仕切り板１０は上下と左右を分ける部材を一体形成してもよく、別々の部材で形成してもよい。
【００６５】
また、図６に示すような整流機能を持つファン６を用いるとファン６から下流に平行風を送ることができる。図６（ａ）は吹出側の斜視図、同（ｂ）は吸込側の斜視図である。図からわかるように、ファン６は吹出側に整流板がついた羽６ａを有しておりファン６よりも下流に平行風を送ることができる。このようなファン６を用いればプラスイオンとマイナスイオンが下空気流路９に入る前に混合することを減少できる。なお、整流板付きのファン６を実施例１で用いても効果があることは言うまでもない。
【００６６】
このような構成でも、イオン発生器５により発生したイオンの多くは平行風に乗って、下空気流路９を通り、ヒータ１１により熱せられることなくイオンを含んだ風が吐出口１２から送風される。そのため、イオン及びイオンと結合した水分子が熱せられることによる問題を軽減することが可能となる。また、プラスイオンとマイナスイオンを発生させた場合、両者が中和するのを防止することができる。
【実施例３】
【００６７】
本実施例３では、実施例１、２と異なりマイナスイオン発生部のみを有するイオン発生器５を用いた。
【００６８】
イオン発生器５として、大気中の酸素をマイナスイオン化する方法は実施例１で説明した。本実施例では静電霧化方式を用いてマイナスイオンを発生させる方法を説明する。
【００６９】
静電霧化方式とは、水に高電圧をかけ、水の中の電子が集まり一定のバランスが崩れたときに、水がレーリー分裂と呼ばれる超微細な霧状の分裂を起こして粒子となり、帯電ミスト（マイナスイオン）として噴霧されるものをいう。このとき電圧としてマイナス電圧を用いるため、ミストはマイナスに帯電する。この帯電ミストを髪に当てると静電気の発生を防止し、髪にしっとり感を与えることができる。このとき、電極間に電圧をかけると空気中の元素とも反応するため、マイナスイオンも発生することがある。本実施例では、帯電ミストと気体のマイナスイオンをいずれもマイナスイオンとして扱う。
【００７０】
静電霧化方式でイオンを発生させる場合は、イオン発生器５としてペルチェ素子付きのものを用いることが望ましい。ペルチェ素子は、ペルチェ素子の吸熱面側の表面が周囲との温度差により結露が生じ水を効果的に発生させることができる。
【００７１】
また、ファン６としてエンジニアリングプラスチックであるポリアミド＝ナイロン製のものを用いた。ポリアミド＝ナイロンはプラスに帯電しやすいためイオン発生器５で発生するマイナスイオンにより、ファンの帯電を軽減しほこりの付着を軽減することができる。また、本実施例のように帯電ミストを用いると水分により空気が潤うことにより静電気の発生を抑えることもできる。
【実施例４】
【００７２】
図７は本発明の実施例４に係るヘアドライヤの内部構成を示す側面透視図である。
【００７３】
本実施例では、イオン発生器５がファン６よりも下流にある下空気流路９内に配置されている。本実施例では、他の実施例と異なり下空気流路９がイオン専用流路となっている。ヒータ１１は上空気流路８に配置され、下空気流路９には配置されていない。そのため、水分子と結合したイオンを用いるので熱で水分子が壊れることを防止することができ有効である。
【実施例５】
【００７４】
図８は本発明の実施例５に係るヘアドライヤの斜視図である。
【００７５】
本実施例では、イオン発生器５のメンテナンスのために吸気フィルタ３を筺体２から取り外すための具体的な構成を示した。
【００７６】
まず、図８（ａ）に示すように、吸気フィルタ３を筐体２から取り外す。吸気フィルタ３と筺体２は、爪により取り付けられていてもよいし、磁石を用いて取り付けられていてもよいし、回転させて取り外しができるようにしてもよく、具体的な構成は特に問わない。
【００７７】
次に、図８（ｂ）に示すように、イオン発生器５を筐体２から取り外す。本実施例では、イオン発生器５をスライドさせることにより筺体２から容易に取り外せるようにした。イオン発生器５の電源は電極側の下にコネクタをつけて、抜き差しするだけで電源とつなぐことができる。なお、スライド機構以外に、ネジ止め、バネを用いたプッシュ機構など様々な形態を用いることができる。
【００７８】
吸気フィルタ３を筺体２から取り外すことにより、イオン発生器５のメンテナンス、交換が容易に行えるようになる。イオン発生器５の針電極１５及び誘導電極１６、特に針電極１５はイオンを発生させていくと徐々に表面に異物が付着し性能を発揮しなくなる。特にヘアスプレを用いると、空気中にその成分が残り、その空気をファンが取り込むことにより電極の表面に異物が付着しやすくなり、比較的早い段階で性能を発揮しなくなることを本願発明者らは実験により確認した。そのため、定期的に電極のメンテナンスを行うか、イオン発生器５の交換を行うことが望ましい。
【００７９】
このようにイオン発生器５をファン６の上流に配置することにより容易にイオン発生器５をメンテナンスすることができるようになる。
【００８０】
以上、本発明の実施例について説明を行ったが、これ以外にも様々な変更を行うことができる。例えば、イオン発生器５として格子状の電極のものを用いることもできるし、ファン６としてプロペラファンだけでなくシロッコファンを用いることも可能である。
【産業上の利用可能性】
【００８１】
本発明は、イオン発生器を搭載したヘアドライヤに関するものである。
【符号の説明】
【００８２】
１  ヘアドライヤ
２  筐体
３  吸気フィルタ
４  ハンドル
５  イオン発生器
６  ファン
７  空気流路
８  上空気流路
９  下空気流路
１０  仕切板
１１  ヒータ
１２  吐出口
１３  ノズル
１４  スイッチ
１５  針電極
１６  誘導電極
【図１】
0005898465.tif 000004
【図２】
0005898465.tif 000005
【図３】
0005898465.tif 000006
【図４】
0005898465.tif 000007
【図５】
0005898465.tif 000008
【図６】
0005898465.tif 000009
【図７】
0005898465.tif 000010
【図８】
0005898465.tif 000011